(57)【特許請求の範囲】
【請求項１】
前身頃（２）と後身頃（３）とを備える衣類（１）において、
前記前身頃（２）の胸部内側に設けられた裏当て布（６）と、
前記裏当て布（６）に縫い合わされて、袋状の収容部（７ａ）を形成するカップ布（７）と、
前記収容部（７ａ）に収容されたパッド（８）とを備え、
前記裏当て布（６）と前記カップ布（７）とは、第１ステッチ（９）により縫着され、
前記第１ステッチ（９）は、前記パッド（８）の上縁部に沿って設けられ、
前記裏当て布（６）と前記カップ布（７）とは、第２ステッチ（１０ａ）により縫着され、
前記第２ステッチ（１０ａ）は、前記パッド（８）よりも前中心側に設けられ、前記パッド（８）の周縁部に沿って前記パッド（８）の上側へ延出する
ことを特徴とする衣類（１）。
【請求項２】
前記第１ステッチ（９）の長さ（Ｔａ）は、半分に折り曲げられた前記パッド（８）の上縁部の長さ（ｄ１）よりも短い
ことを特徴とする請求項１に記載の衣類（１）。
【請求項３】
前記カップ布（７）の下端及び側端が前記裏当て布（６）に縫着されて、前記収容部（７ａ）の前記パッド（８）の上部に前記パッド（８）を出し入れする開口（１１）が設けられ、
前記開口（１１）までの前記パッド（８）の通路の幅（Ｔｂ）は、半分に折り曲げられた前記パッド（８）の最小長（ｄ２）以上である
ことを特徴とする請求項１又は２に記載の衣類（１）。
【請求項４】
前記裏当て布（６）は、前記前身頃（２）にのみ設けられる
ことを特徴とする請求項１〜３の何れか一項に記載の衣類（１）。
【請求項５】
前記パッド（８）の形状は、円、楕円又は三角形である
ことを特徴とする請求項１〜４の何れか一項に記載の衣類（１）。
【発明の詳細な説明】
【技術分野】
【０００１】
本発明は、衣類に関する。
【背景技術】
【０００２】
従来、タンクトップやワンピース等の前身頃にパッドを取り付けた衣類が知られている。例えば胸部の全周を囲む胴着部材のバストの位置にモールドカップを設け、この胴着部材を前身頃と後身頃とに取り付けたカップ付き衣料が提案されている（特許文献１参照）。また前身頃の胸部の裏面に袋部材を設け、この袋部材にカップ部材を収容した衣服が提案されている（特許文献２参照）。
【先行技術文献】
【特許文献】
【０００３】
【特許文献１】特許第５５１２２２２号公報
【特許文献２】特許第５２５４６３６号公報
【発明の概要】
【発明が解決しようとする課題】
【０００４】
しかし、モールドカップやカップ部材等のパッドを胴着部材に取り付ける衣類の場合、パッドの位置が固定される。よってパッドを自由に取り外すことはできない。またパッドを自由に取り出すことができるように袋部材に収容する衣類の場合、パッドの位置が固定されない。よって着用するたびにパッドの位置を調整しなければならない。着用時にパッドの位置がずれると、着用者が不快感を覚えることがあり、特にバストの下側よりも上側にパッドがずれたときの不快感が強い傾向がある。【０００５】
本発明は、パッドを自由に取り外すことができる衣類において、上側へのパッドのずれを簡易な構成により抑制し、着用時の快適性を向上することを目的とする。
【課題を解決するための手段】
【０００６】
本発明の一態様によれば、前身頃（２）と後身頃（３）を備える衣類（１）において、前記前身頃（２）の胸部内側に設けられた裏当て布（６）と、前記裏当て布（６）に縫い合わされて、袋状の収容部（７ａ）を形成するカップ布（７）と、前記収容部（７ａ）に収容されたパッド（８）とを備え、前記裏当て布（６）と前記カップ布（７）とは、第１ステッチ（９）により縫着され、前記第１ステッチ（９）は、前記パッド（８）の上縁部に沿って設けられることを特徴とする衣類（１）が提供される。
【発明の効果】
【０００７】
本発明によれば、パッドを自由に取り外すことができる衣類において、上側へのパッドのずれを簡易な構成により抑制し、着用時の快適性を向上することができる。
【図面の簡単な説明】
【０００８】
【図１】本発明の一実施形態の衣類の胸部内側を示す展開図である。
【図２】図１に示す裏当て布のカップ布が設けられた面を表す正面図である。
【発明を実施するための形態】
【０００９】
以下、本発明の衣類の実施の形態について、図面を参照して説明する。以下の実施形態は、本発明を説明するための例示であり、本発明は以下の実施形態に限られない。なお上下左右等の位置関係は、特に断らない限り、図面に示す位置関係に基づくこととする。また図面の寸法比率は、図示の比率に限定されない。
【００１０】
図１は、本発明の一実施形態の衣類１の胸部内側を示す展開図である。
図１に示すように、衣類１は、例えばＴシャツ、ワンピース等であり、前身頃２、後身頃３、袖４及び襟５を備える。前身頃２と後身頃３とは、互いの肩及び脇が縫着され、連結される。袖４は、前身頃２と後身頃３の袖ぐりに縫着され、襟５は襟ぐりに縫着される。
【００１１】
また衣類１は、前身頃２の胸部内側に設けられた、裏当て布６、カップ布７及び１対のパッド８を備える。カップ布７は、裏当て布６に縫い合わされて、袋状の収容部７ａを形成する。具体的には、カップ布７の下端と側端が裏当て布６に縫着されて、上部が開口する袋状の収容部７ａが形成される。１対のパッド８は円形状であり、袋状の収容部７ａ内に収容されて着用者のバストを覆う。
【００１２】
裏当て布６は、前身頃２の襟ぐり、肩、袖ぐり及び脇と縫着される。裏当て布６の下端は、パッド８よりも下側において一方の脇から他方の脇へ直線状に延びている。裏当て布６の下端は、カップ布７の下端とともに前身頃２側に折り返して縫着され、内部にゴム６ａが通される。肌触りが良い点では、このように折り返しにゴム６ａを収容することが好ましい。
【００１３】
裏当て布６は、前身頃２にのみ設けられ、後身頃３には設けられない。胸部の全周を囲むように前身頃及び後身頃に裏当て布６を設ける場合に比べて、裏当て布６又はゴム６ａによる締め付けを減らすことができ、リラックスできる快適な衣類１を提供することができる。
【００１４】
裏当て布６は、カップ布７が設けられた面が前身頃２側に位置するように前身頃２に重ねられている。すなわちカップ布７は裏当て布６と前身頃２との間に設けられ、裏当て布６は衣類１の最も内側に設けられて衣類１の着用者の肌と接する。
【００１５】
図２は、裏当て布６をカップ布７側から表す正面図である。
図２に示すように、カップ布７の上端は、前中心Ｚから襟ぐりに沿って肩へと延び、途中で襟ぐりから袖ぐりに向かって斜め下方に延びる略山形の形状を有している。この上端は左右方向においてパッド８の脇側の端部の位置に至ると、下方へ向かう。カップ布７の襟ぐりに沿う上端部分は、裏当て布６及び前身頃２とともに襟５に縫着されている。カップ布７の縫着によって、衣類１の着用時、バストの重みでパッド８を収容するカップ布７が垂れ下がり、衣類１が型崩れすることを抑えることができる。
【００１６】
一方、カップ布７の襟ぐりから斜め下方へ向かう上端部分は縫着されず、開口する。この開口は収容部７ａ内に連通し、収容部７ａへパッド８を出し入れする取出口１１として機能する。取出口１１が設けられたカップ布７の端部は、通常、ほつれを抑えるためにかがり縫い等の端処理が施される。端処理部分が肌に触れると不快感が生じることがあるが、上述のように、カップ布７は裏当て布６と前身頃２との間に位置し、カップ布７が着用者の肌に触れることはないため、快適な衣類１を提供できる。
【００１７】
カップ布７の側端は、カップ布７の上端から下方に延び、パッド８の脇側の周縁部に沿ってパッド８の下側へ向かう形状を有する。このような形状のカップ布７の側端が第４ステッチ１２により裏当て布６に縫着されることにより、パッド８の脇側への動きを制限することができる。
【００１８】
（第１ステッチ）
図１に示すように、裏当て布６とカップ布７とは第１ステッチ９により縫着される。第１ステッチ９は、パッド８の上縁部に沿って設けられている。第１ステッチ９によりパッド８の上側への動きを制限し、上側へのパッド８のずれを防止することができる。パッド８を収容部７ａの底に突き当てて第１ステッチ９を設ければ、パッド８の上下方向における位置の固定が可能である。またパッド８上部の取出口１１へ連通する通路の一部が第１ステッチ９により閉じられるため、取出口１１からのパッド８の脱落を抑えることができる。
【００１９】
第１ステッチ９は、点Ｐ１から点Ｐ２まで設けられる。点Ｐ１は、パッド８より前中心Ｚ側であって、パッド８を上下対称に折り曲げたときの中心線８ｘの上側に位置する。点Ｐ２は、パッド８を左右対称に折り曲げたときの中心線８ｙの上端の上側に位置する。点Ｐ１を始点、点Ｐ２を終点として第１ステッチ９が設けられてもよいし、その逆であってもよい。
【００２０】
第１ステッチ９の長さＴａは、半分に折り曲げられたパッド８の上縁部の長さｄ１より短いことが好ましい。長さＴａが長さｄ１より短いと、取出口１１へのパッド８の通路を形成でき、収容部７ａからのパッド８の出し入れが容易となる。円状のパッド８の半径がｒである場合、半分に折り曲げられたときの上縁部の長さｄ１は、円周の１／４の長さ１／２πｒであるので、第１ステッチ９の長さＴａを１／２πｒより短くすればよい。
【００２１】
取出口１１までのパッド８の通路の幅Ｔｂは、半分に折り曲げられたパッド８の最小長ｄ２以上であることが好ましい。これにより、パッド８を折り曲げて取出口１１から取り出すことが容易になる。円状のパッド８を半分に折り曲げたときの最小長ｄ２はパッド８の半径ｒであるので、通路の幅Ｔｂをｒ以上とすればよい。通路の幅Ｔｂは、例えば第１ステッチ９の長さＴａ、カップ布７の上端の形状等により調整することができる。
【００２２】
図１に示すように、長さＴａが約１／２πｒであって前中心Ｚ側に設けられた第１ステッチ９は、パッド８の周縁部に沿う第４ステッチ１２とパッド８を介して反対側に位置する。第１ステッチ９及び第４ステッチ１２によりパッド８を挟み、パッド８の上下方向及び左右方向の動きを制限するとともに、取出口１１への十分な通路の幅Ｔｂを設けることができる。後述する第３ステッチ１０ｂが設けられる場合は、第１ステッチ９を脇側に位置させても、第１ステッチ９と第３ステッチ１０ｂとでパッド８を挟むことができ、同様にパッド８の動きを制限することができる。
【００２３】
第１ステッチ９の長さＴａ及び位置は図１の例に限定されない。例えば、第１ステッチ９の位置は、パッド８の中心位置(図１の中心線８ｙの位置)に近いほど、上側へのパッド８の動きを効果的に制限することができる。よって第１ステッチ９の一端である点Ｐ１の左右方向の位置が前中心Ｚ又は脇に近いほど、第１ステッチ９の他端である点Ｐ２の左右方向の位置がパッド８の中心線８ｙの位置に近づくように、第１ステッチ９の長さＴａを長くすればよい。またパッド８の上縁部に沿って複数の第１ステッチ９が設けられてもよい。
【００２４】
（第２ステッチ）
裏当て布６及びカップ布７は、さらに第２ステッチ１０ａにより縫着されている。第２ステッチ１０ａは、パッド８より前中心Ｚ側に設けられ、点Ｐ１からパッド８の周縁部に沿ってパッド８の上側へ延出し、取出口１１に到る。第２ステッチ１０ａにより、第１ステッチ９から襟ぐりまでの間の裏当て布６とカップ布７のだぶつきを抑えることができ、着用時の衣類１の型崩れを減らすことができる。
【００２５】
（第３ステッチ）
また裏当て布６及びカップ布７は、第３ステッチ１０ｂにより縫着されている。第３ステッチ１０ｂは、点Ｐ１からパッド８の前中心Ｚ側の周縁部に沿ってパッド８の下側へ向かい、裏当て布６の下端に到る。第３ステッチ１０ｂにより前中心Ｚ側へのパッド８の動きを制限することができる。パッド８を収容部７ａの脇側の端部に突き当てて第３ステッチ１０ｂを設けることにより、パッド８の左右方向における位置を固定することができる。
【００２６】
なお各ステッチの縫製を連続させることにより、第１ステッチ９と第３ステッチ１０ｂが１つのステッチとして設けられてもよいし、第２ステッチ１０ａと第３ステッチ１０ｂが１つのステッチとして設けられてもよい。
【００２７】
（衣類１の製造方法）
上記衣類１は、例えば次のようにして製造することができる。まず、裏当て布６にカップ布７を重ねてカップ布７の側端を縫着し、第４ステッチ１２を設ける。次に、裏当て布６とカップ布７の下端を折り返して縫着し、袋状の収容部７ａを形成する。折り返した下端の内部にはゴム６ａを通す。そして、裏当て布６とカップ布７を縫着し、第１ステッチ９、第２ステッチ１０ａ及び第３ステッチ１０ｂを設ける。次に、裏当て布６を前身頃２に重ねて、後身頃３、袖４及び襟５とともに、脇、襟ぐり、袖ぐり及び肩を縫着する。取出口１１からパッド８を挿入して、第１ステッチ９より下側の収容部７ａ内にパッド８を収容することで、パッド付の衣類１が得られる。
【００２８】
以上のように、本実施形態の衣類１によれば、パッド８の上縁部に沿って第１ステッチ９が設けられる。第１ステッチ９よりも上側へのパッド８の動きを簡易に制限することができ、上側へのパッド８のずれを防止することができる。これにより、ずれによる不快感を解消して、着心地のよい快適な衣類１を提供することができる。また着用時の位置調整が不要で、洗濯によるパッド８の脱落が少ない衣類１を提供することができる。
【００２９】
なお本実施の形態における衣類１は、袖４を備えるとしたが、必ずしもこれに限らず、上衣であれば袖４がないタンクトップ等の衣類であってもよい。
【００３０】
また本実施形態におけるパッド８は、１対の円形状としたが、必ずしもこれに限らず、バスト全体を覆う１つのパッドであってもよいし、パッド８の形状は楕円又は三角形であってもよい。この場合であっても、パッド８の上縁部に沿う第１ステッチ９を設けることにより、円状のパッド８の場合と同様の効果を得ることができる。
【符号の説明】
【００３１】
１・・・衣類、２・・・前身頃、３・・・後身頃、６・・・裏当て布、７・・・カップ布、７ａ・・・収容部、８・・・パッド、９・・・第１ステッチ、１０ａ・・・第２ステッチ、１０ｂ・・・第３ステッチ、１２・・・第４ステッチ
【要約】
パッドを自由に取り外すことができる衣類において、上側へのパッドのずれを簡易な構成により抑制し、着用時の快適性を向上する。
前身頃（２）と後身頃（３）を備える衣類（１）において、前記前身頃（２）の胸部内側に設けられた裏当て布（６）と、前記裏当て布（６）に縫い合わされて、袋状の収容部（７ａ）を形成するカップ布（７）と、前記収容部（７ａ）に収容されたパッド（８）とを備え、前記裏当て布（６）と前記カップ布（７）とは、第１ステッチ（９）により縫着され、前記第１ステッチ（９）は、前記パッド（８）の上縁部に沿って設けられることを特徴とする衣類（１）。【図１】
0006761903.tif 000002
【図２】
0006761903.tif 000003